(57)【要約】【課題】ハンガー本体のフック取付部及びフックの取付軸の構造が簡単でありながら、所望の回動位置にフックを回動可能としたハンガーのフック取付構造である。【解決手段】フック３は鍔状部３２と第一係止部３３と第二係止部３４と一対の案内片３５とを備え、ハンガー本体１のフック取付部は第一筒状部２２と下端の幅が第二係止部３４の奥行よりも小さい幅の一対のスリットを形成した第二筒状部２３とを備え、フック３をハンガー本体１のフック取付部に取付ける際に、第二筒状部２３のスリット及び内径を弾性的に拡げて、第一係止部３３及び第二係止部３４を、第二筒状部２３を貫通させることにより、フック３をハンガー本体１に回動可能に取付けて、フック３を所望の回動位置に回動できるようにした。【選択図】図５
0003166997.tif 000002
【実用新案登録請求の範囲】
【請求項１】
合成樹脂製のハンガー本体と、このハンガー本体の中央部のフック取付部に取付けられた合成樹脂製のフックとを備えたハンガーであって、
前記フックは、取付軸の上端部に鍔状部と、取付軸の下端部に軸径よりも０．５ｍｍ〜２．０ｍｍ大きな径の鍔状の第一係止部と、第一係止部の上面と同一水平面で奥行が前記取付軸の軸径よりも小さく、横幅が第一係止部の径よりも大きく、下端が第一係止部よりも下方に突出する第二係止部と、第二係止部の横幅の両端から一体に上方に立ち上がる一対の薄板状の案内片とを備えており、
前記第一係止部の円周における下方コーナー部は、面取りがなされており、
前記第二係止部の横幅方向における各下辺コーナー部は、面取りがなされており、
前記ハンガー本体のフック取付部は、上方の第一筒状部と、第一筒状部の下方に第一筒状部と連続して一体に形成された第二筒状部とを備えており、
前記第一筒状部は、前記フックの第一係止部、第二係止部及び案内片を挿通する挿通孔を形成しており、
前記第二筒状部は、下方が前記取付軸の外径と略同じ内径で、前記第一筒状部の外径よりも小さい外径であり、前記フックの取付時に前記第二係止部が当接する周壁に、下端の幅が前記第二係止部の奥行よりも小さい幅の一対のスリットを形成しており、
前記フックを前記ハンガー本体のフック取付部に取付ける際に、前記第二筒状部のスリット及び内径を弾性的に拡げて、前記第一係止部及び前記第二係止部を、前記第二筒状部を貫通させることにより、前記フックを前記ハンガー本体に回動可能に取付けるようにしたことを特徴とするハンガーのフック取付構造。
【請求項２】
前記フックの案内片は、フック取付時に外側が前記第一筒状部の挿通孔に対するガイドとなり、取付後のフックの回動時に内側が前記第二筒状部の外周に対するガイドとなるように形成したことを特徴とする請求項１に記載のハンガーのフック取付構造。
【請求項３】
前記ハンガー本体のフック取付部には前記フックの鍔状部を嵌合する凹部を形成したことを特徴とする請求項１又は２に記載のハンガーのフック取付構造。
【請求項４】
前記フックの第二係止部は、フックの上方の吊下部と第二係止部の長手方向とが平面視で同じ方向に形成したことを特徴とする請求項１〜３のいずれかに記載のハンガーのフック取付構造。
【考案の詳細な説明】
【技術分野】
【０００１】
本考案は、ハンガー本体のフック取付構造に係り、特に、構造が簡単でありながら、所望の回動位置にフックを回動可能としたハンガーのフック取付構造に関する技術である。
【背景技術】
【０００２】
従来、図６に示すハンガーのフック取付構造が知られている（例えば、特許文献１参照）。
図６において、ハンガー本体４１には、中央部に筒体４３が一体に設けられ、この筒体４３は、上端部４３ａが大径となった段付きの円筒状に形成され、その下面における周方向複数個所（図例では４５°置きに八個所）に半円形の凹部４４が設けられている。
【０００３】
一方、フック４２の取付軸体４５には、上部に弾性座部４６、下部に係止鍔部４７がそれぞれ外周側に突出する状態で一体に設けられ、弾性座部４６は、円形の基部４６ａと、この基部４６ａの下側に連なる断面が略四角形の頚部４６ｂと、この頚部４６ｂの前半周及び後半周を取り巻く形で基部４６ａの下面から下向きに螺旋状に延設された一対の突片４６ｃとによって構成され、この両突片４６ｃが上下方向の弾発力を発揮するようになっている。
また、係止鍔部４７は下すぼまりに形成され、その上面の対称二個所に、筒体４３の凹部４４に対して係脱しうる凸部４８が設けられている。
【０００４】
さらに、取付軸体４５は、下半部が割り溝４９によって二つに縦割りされ、これによって径方向に弾性的に拡縮変形しうるように構成され、取付軸体４５を筒体４３に差し込むと、係止鍔部４７が、取付軸体４５の弾性拡縮作用により筒体４３を通過して筒体下面に係止する。
一方、弾性座部４６は、筒体４３の上端部４３ａに嵌まり込み、その突片４６ｃが上端部４３ａの内側段面４３ｂに押し付けられて上下方向の弾発力を発揮し、取付軸体４５が筒体４３に対しその軸心まわりに回転可能で、かつ、上下方向には移動不能に取付けられる。
【０００５】
また、このフック取付状態で、筒体４３の凹部４４と取付軸体４５の凸部４８とが弾性座部４６の弾発力によって弾性的に係脱するクリック機構が構成され、このクリック機構によってフック４２が複数（図例では４５°置きの八個所）の回転位置に保持されるようにしている。
【先行技術文献】
【特許文献】
【０００６】
【特許文献１】特許第３４６９９４０号公報
【考案の概要】
【考案が解決しようとする課題】
【０００７】
特許文献１に記載された従来のハンガーのフック取付構造は、筒体４３の凹部４４と取付軸体４５の凸部４８とが弾性座部４６の突片４６ｃの弾発力によって弾性的に係脱するクリック機構が構成され、フック４２が複数の回転位置に保持されるようにしているため、弾性座部４６の基部４６ａ、四角形の頚部４６ｂ、突片４６ｃ、筒体４３の凹部４４、取付軸体４５の凸部４８などの構造が複雑であるという問題があった。
また、突片４６ｃを有するプラスチック製の弾性座部４６の弾性変形量が限られており、凹部４４と凸部４８とを係合保持させるための係合摩擦力と、回動位置を変えるときの回動力とを調整した設計、製作が難しいという問題があった。
【０００８】
本考案は、このような従来の構成が有していた課題を解決しようとするものであり、構造が簡単でありながら、フックを所望の回動位置に滑らかに回動可能としたハンガーのフック取付構造とすることを目的としている。
【課題を解決するための手段】
【０００９】
請求項１に係る本考案のハンガーのフック取付構造は、合成樹脂製のハンガー本体と、このハンガー本体の中央部のフック取付部に取付けられた合成樹脂製のフックとを備えたハンガーであって、
前記フックは、取付軸の上端部に鍔状部と、取付軸の下端部に軸径よりも０．５ｍｍ〜２．０ｍｍ大きな径の鍔状の第一係止部と、第一係止部の上面と同一水平面で奥行が前記取付軸の軸径よりも小さく、横幅が第一係止部の径よりも大きく、下端が第一係止部よりも下方に突出する第二係止部と、第二係止部の横幅の両端から一体に上方に立ち上がる一対の薄板状の案内片とを備えており、
前記第一係止部の円周における下方コーナー部は、面取りがなされており、
前記第二係止部の横幅方向における各下辺コーナー部は、面取りがなされており、
前記ハンガー本体のフック取付部は、上方の第一筒状部と、第一筒状部の下方に第一筒状部と連続して一体に形成された第二筒状部とを備えており、
前記第一筒状部は、前記フックの第一係止部、第二係止部及び案内片を挿通する挿通孔を形成しており、
前記第二筒状部は、下方が前記取付軸の外径と略同じ内径で、前記第一筒状部の外径よりも小さい外径であり、前記フックの取付時に前記第二係止部が当接する周壁に、下端の幅が前記第二係止部の奥行よりも小さい幅の一対のスリットを形成しており、
前記フックを前記ハンガー本体のフック取付部に取付ける際に、前記第二筒状部のスリット及び内径を弾性的に拡げて、前記第一係止部及び前記第二係止部を、前記第二筒状部を貫通させることにより、前記フックを前記ハンガー本体に回動可能に取付けるようにしたものである。
【００１０】
請求項２に係る本考案のハンガーのフック取付構造は、請求項１に係る本考案の構成に加え、前記フックの案内片は、フックの取付時に外側が前記第一筒状部の挿通孔に対するガイドとなり、取付後のフックの回動時に内側が前記第二筒状部の外周に対するガイドとなるように形成したものである。
【００１１】
請求項３に係る本考案のハンガーのフック取付構造は、請求項１又は２に係る本考案の構成に加え、前記ハンガー本体のフック取付部には前記フックの鍔状部を嵌合する凹部を形成したことを特徴とする請求項１又は２に記載のハンガーのフック取付構造。
【００１２】
請求項４に係る本考案のハンガーのフック取付構造は、請求項１〜３のいずれかに係る本考案の構成に加え、前記フックの第二係止部は、フックの上方の吊下部と第二係止部の長手方向とが平面視で同じ方向に形成したものである。
【考案の効果】
【００１３】
請求項１に係る本考案のハンガーのフック取付構造は、前記フックは、取付軸の上端部に鍔状部と、取付軸の下端部に軸径よりも０．５ｍｍ〜２．０ｍｍ大きな径の鍔状の第一係止部と、第一係止部の上面と同一水平面で奥行が前記取付軸の軸径よりも小さく、横幅が第一係止部の径よりも大きく、下端が第一係止部よりも下方に突出する第二係止部と、第二係止部の横幅の両端から一体に上方に立ち上がる一対の薄板状の案内片とを備えており、
前記第一係止部の円周における下方コーナー部は、面取りがなされており、
前記第二係止部の横幅方向における各下辺コーナー部は、面取りがなされており、
前記ハンガー本体のフック取付部は、上方の第一筒状部と、第一筒状部の下方に第一筒状部と連続して一体に形成された第二筒状部とを備えており、
前記第一筒状部は、前記フックの第一係止部、第二係止部及び案内片を挿通する挿通孔を形成しており、
前記第二筒状部は、下方が前記取付軸の外径と略同じ内径で、前記第一筒状部の外径よりも小さい外径であり、前記フックの取付時に前記第二係止部が当接する周壁に、下端の幅が前記第二係止部の奥行よりも小さい幅の一対のスリットを形成しており、
前記フックを前記ハンガー本体のフック取付部に取付ける際に、前記第二筒状部のスリット及び内径を弾性的に拡げて、前記第一係止部及び前記第二係止部を、前記第二筒状部を貫通させることにより、前記フックを前記ハンガー本体に回動可能に取付けるようにしたから、簡単な構造でありながら、フックの回動時に適切な摩擦力及び回動力を付与することができ、所望の回動位置にフックを回動することができるのである。
【００１４】
請求項２に係る本考案のハンガーのフック取付構造は、請求項１に係る本考案の効果に加え、前記フックの案内片は、フックの取付時に外側が前記第一筒状部の挿通孔に対するガイドとなり、取付後のフックの回動時に内側が前記第二筒状部の外周に対するガイドとなるように形成したから、フックをハンガー本体に取付ける際に、フックを滑らかに挿通孔に挿入することができ、フックの回動時に摩擦力及び回動力を一層適切に付与できるのである。
【００１５】
請求項３に係る本考案のハンガーのフック取付構造は、請求項１又は２に係る本考案の効果に加え、前記ハンガー本体のフック取付部には前記フックの鍔状部を嵌合する凹部を形成したから、ハンガー本体とフックとがシンプルな外観となり、また、鍔状部と凹部とで、一層適切な摩擦力で滑らかにフックを回動することができるのである。
【００１６】
請求項４に係る本考案のハンガーのフック取付構造は、請求項１〜３のいずれかに係る本考案の効果に加え、前記フックの第二係止部は、フックの上方の吊下部と第二係止部の長手方向とが平面視で同じ方向に形成したから、ハンガーの使用態様の多い、衣服の展示販売する店舗などにおけるフック吊下杆にフックを引っ掛け、衣服掛部をフック吊下杆に直交させて使用する際に、第一係止部及び第二係止部で、ハンガー本体とフックとが係合しているので、フックとハンガー本体とが離脱するおそれがないのである。
【図面の簡単な説明】
【００１７】
【図１】本考案の実施の形態に係るハンガー本体を示す図面で、（ａ）は平面図、（ｂ）は正面図である。
【図２】本考案の実施の形態に係るフックを示す図面で、（ａ）は正面図、（ｂ）は側面図、（ｃ）は底面図、（ｄ）は図２（ａ）のＡ−Ａ線断面図である。
【図３】図１（ａ）のＢ−Ｂ線部分拡大断面図である。
【図４】図１（ｂ）のＣ−Ｃ線部分拡大断面図である。
【図５】本考案の実施の形態に係るハンガー本体にフックを取付けた状態を示す部分拡大正面断面図である。
【図６】従来のハンガーのフック取付構造を示す部分拡大正面断面図である。
【考案を実施するための形態】
【００１８】
以下、本考案の実施の形態を添付した図１〜図５に基づき詳細に説明する。
図１はハンガー本体を示す図面で、（ａ）は平面図、（ｂ）は正面図であり、１は材質をポリプロピレンとし、射出成形により製造したハンガー本体であり、ハンガー本体１の中央部にはフック取付部２が形成され、衣服掛部１ａが左右対称で下方に傾斜し外方向に湾曲して形成されている。
【００１９】
図２はフックを示す図面で、（ａ）は正面図、（ｂ）は側面図、（ｃ）は底面図、（ｄ）は図２（ａ）のＡ−Ａ線断面図で、３は材質をＡＢＳ樹脂とし、射出成形により製造したフックであり、上方の吊下部３ａと下方の取付軸３１とを備えている。
フック３は、取付軸３１の上端部に鍔状部３２と、取付軸３１の下端部に鍔状の第一係止部３３と、第一係止部３３の上面と同一水平面で奥行が取付軸の軸径よりも小さく、横幅が第一係止部３３の径よりも大きく、下端が第一係止部３３よりも下方に突出する第二係止部３４と、第二係止部３４の横幅の両端から一体に上方に立ち上がる一対の薄板状の案内片３５とを備えている。
【００２０】
前記フック３の吊下部３ａは外径が７．２ｍｍであり、取付軸３１は外径が４．２５ｍｍであり、前記鍔状部３２は上端外径が１１．５ｍｍで厚みが２ｍｍで周壁が下方に先細状にテーパー（垂直線に対して５度）となっており、周壁の上下コーナー部が半径０．３ｍｍで面取りがなされている。
前記第一係止部３３は径が５．４５ｍｍで、第一係止部３３の円周における下方コーナー部３３ａは半径１．０ｍｍで面取りがなされている。
【００２１】
前記第二係止部３４は、奥行が２．６ｍｍで取付軸３１の軸径４．３ｍｍよりも小さく、横幅が９．７ｍｍで第一係止部３３の径５．５ｍｍよりも大きく、下端が第一係止部３３よりも下方に１．３ｍｍ突出して形成されており、第二係止部３４の横幅方向における各下辺コーナー部３４ａは半径１．２ｍｍで面取りがなされている。
前記案内片３５は、厚さが１．０ｍｍで、奥行が３．４ｍｍで、前記第二係止部３４の横幅の両端から一体に上方に２．６ｍｍ立ち上がるように形成されている。
【００２２】
図３及び図４はハンガー本体１のフック取付部２の詳細を示す図面で、図３は図１（ａ）のＢ−Ｂ線部分拡大断面図、図４は図１（ｂ）のＣ−Ｃ線部分拡大断面図である。
図３及び図４において、ハンガー本体１のフック取付部２は、上部に前記フック３の鍔状部３２を嵌合する形状の凹部２１を形成し、この凹部２１の下方に連続して上方の第一筒状部２２と、第一筒状部２２の下方に第一筒状部２２に連続して一体に形成された第二筒状部２３を備えている。
【００２３】
前記第一筒状部２２は、外径が１１．８ｍｍで、内径が５．７ｍｍで、前記凹部２１の底面からの深さが６．８ｍｍで、前記フック３の第一係止部３３、第二係止部３４及び案内片３５を挿通する挿通孔２４を形成している（図１（ａ）、図３及び図４参照）。
また、前記第二筒状部２３は、下方が前記取付軸３１の外径と略同じ内径の４．２ｍｍで、前記第一筒状部２２の外径よりも小さい７．３ｍｍの外径で、前記フック３の取付時に前記第二係止部３４が当接する周壁に、下方に先細状で下端において幅が前記第二係止部３４の奥行きよりも小さい１．０ｍｍのスリット２５を形成している（図３参照）。
【００２４】
そして、前記フック３を前記ハンガー本体１のフック取付部２に取付ける際に、前記第二筒状部２３のスリット２５及び内径を拡げて、前記第一係止部３３及び第二係止部３４を、前記第二筒状部２３を貫通させることにより、前記フック３を前記ハンガー本体１に回動可能に取付けるのである。
また、前記フック３の案内片３５は、フック３のハンガー本体１への取付時に、外側３５ａが前記第一筒状部２２の挿通孔２４に対するガイドとなり、フック３のハンガー本体１への取付後のフック３の回動時に、内側３５ｂが前記第二筒状部２３の外周に対するガイドとなるように形成している。
【００２５】
前記ハンガー本体１のフック取付部２の挿通孔２４は、挿通孔２４における前記フック３の一対の案内片３５を挿通する孔部２４ａが前記ハンガー本体１の衣服掛部１ａの長手方向に直交する線上に位置する方向に形成している（図１（ａ）参照）。
前記フック３の第二係止部３４は、フック３の上方の吊下部３ａと第二係止部３４の長手方向（横幅）とが平面視で同じ方向となるように形成している。
【００２６】
このように、前記フック３の第二係止部３４を、フック３の上方の吊下部３ａと第二係止部３４の長手方向とが平面視で同じ方向となるように形成しているので、フック３をハンガー本体１に取付けてフック３を略９０度回動したときに、衣服掛部１ａと吊下部３ａとが平面視で略同方向となるようにして、ハンガーの使用態様の多い、衣服の展示販売する店舗などにおけるフック吊下杆にフック３を引っ掛け、衣服掛部３ａをフック吊下杆に直交させて使用する際に、第一係止部３３及び第二係止部３４で、ハンガー本体１とフック３とが係合するようにしているので、フック３とハンガー本体１とが離脱するおそれがないのである。
【００２７】
以上の実施の形態では、フック３の案内片３５は、フック３のハンガー本体１への取付時に、外側３５ａが前記第一筒状部２２の挿通孔２４に対するガイドとなり、フック３のハンガー本体１への取付後のフック３の回動時に、内側３５ｂが前記第二筒状部２３の外周に対するガイドとなるように形成したが、案内片３５の外側３５ａと内側３５ｂの一方がガイドとなるように形成してもよい。
また、以上の実施の形態では、ハンガー本体１のフック取付部２は、上部に前記フック３の鍔状部３２を嵌合する形状の凹部２１を形成したが、この凹部２１を形成せずに、フック３の鍔状部３２がハンガー本体１の取付部２の上面に当接するようにしてもよい。
【００２８】
さらに、以上の実施の形態では、前記フック３の第二係止部３４は、フック３の上方の吊下部３ａと第二係止部３４の長手方向（横幅）とが平面視で同じ方向となるように形成したが、吊下部３ａと第二係止部３４の長手方向（横幅）とが平面視で例えば角度３０度、４５度で交差するように形成してもよい。
以上の実施の形態では、鍔状の第一係止部３３の径を、取付軸３１の軸径よりも１．２ｍｍ大きくしたが、０．５ｍｍ〜２．０ｍｍの範囲で大きくしてもよい。
【００２９】
また、以上の実施の形態では、一例として寸法を示しているが、これらの寸法を適宜変更することができる。
以上の実施の形態では、前記第一係止部３３の下方コーナー部３３ａ及び第二係止部３４の下辺コーナー部３４ａをそれぞれ所定の半径で面取りを形成しているが、下方に先細状のテーパーによる面取りを形成してもよい。
【００３０】
また、以上の実施の形態では、ハンガー本体１の材質をポリプロピレンとし、フック３の材質をＡＢＳ樹脂としたが、ハンガー本体１及びフック３の材質として各種の合成樹脂としてもよい。
【符号の説明】
【００３１】
１    ハンガー本体
２    フック取付部
２１  凹部
２２  第一筒状部
２３  第二筒状部
２４  挿通孔
２５  スリット
３    フック
３ａ  吊下部
３１  取付軸
３２  鍔状部
３３  第一係止部
３３ａ  下方コーナー部
３４  第二係止部
３４ａ  下辺コーナー部
３５  案内片
３５ａ  外側
３５ｂ  内側
【図１】
0003166997.tif 000003
【図２】
0003166997.tif 000004
【図３】
0003166997.tif 000005
【図４】
0003166997.tif 000006
【図５】
0003166997.tif 000007
【図６】
0003166997.tif 000008